(57)【要約】【課題】  ペットシーツを敷設して使用されるペット用トイレにおいて、ペットシーツがペットによって掻きむしられてひどく損傷しないようにすること。【解決手段】  ペットシーツ１２の表面に被せるようにのせられるシート状で、ペットシーツ１２の表面に被さるカバー部３１と、ペットシーツ１２の表面を尿が通過する広さ露出する複数の隙間部３２とを有し、外周部には、ペットシーツを押え付けて固定するためのシーツ押え部材によって固定される固定部３３が形成されたペットシーツ固定補助具１３。【選択図】    図２
2008029360.tif 000002
【特許請求の範囲】
【請求項１】
ペットシーツの表面に被せるようにのせられるシート状で、ペットシーツの表面に被さるカバー部と、ペットシーツの表面を尿が通過する広さ露出する複数の隙間部とを有した
ペットシーツ固定補助具。
【請求項２】
前記カバー部が網状である
請求項１に記載のペットシーツ固定補助具。
【請求項３】
外周部に、ペット用トイレのシーツ押え部材によってペットシーツの固定時にペットシーツとともに押え付けられる固定部が形成された
請求項１または請求項２に記載のペットシーツ固定補助具。
【請求項４】
外周部に、ペット用トイレのシーツ押え部材に対して着脱可能に固定される固定部が形成された
請求項１または請求項２に記載のペットシーツ固定補助具。
【請求項５】
前記請求項１から請求項４のうちのいずれか一項に記載のペットシーツ固定補助具を備えた
ペット用トイレ。
【請求項６】
ペットシーツを押え付けて固定するシーツ押え部材に、
ペットシーツの表面に被さるカバー部と、ペットシーツの表面を尿が通過する広さ露出する複数の隙間部とを一体形成した
ペット用トイレ。
【請求項７】
前記カバー部を、
シーツ押え部材の内周面に張設し、シーツ押え部材によって固定されたペットシーツの表面と圧接する構成とした
請求項６に記載のペット用トイレ。
【発明の詳細な説明】
【技術分野】
【０００１】
この発明はペット用トイレに関し、より詳しくは、敷設したペットシーツがペットによって掻きむしられるのを防止できるようなペットシーツ固定補助具とこれを用いたペット用トイレに関する。
【背景技術】
【０００２】
ペットシーツを用いるペット用トイレでは、下記特許文献１のようにペットシーツの外周部をシーツ押え枠で押え付けて使用する。シーツ押え枠がペットシーツをしっかりと押え付けるので、ペットシーツの上でペットが激しく動いても、ペットシーツが不測にずれたりしない利点がある。
【０００３】
しかし、ペットシーツがずれないほど強力に固定されるためか、ペットがペットシーツを引っ掻いたり噛んだりして、ペットシーツが掻きむしられると、掻きむしりの程度が僅かであれば問題はないが、程度がひどいとペットシーツが破られ、その内部が露出してしまう。
【０００４】
また、特許文献２に記載されたペット用トイレは、貫孔が形成された通気通水自在な受け板をシーツ押え枠の上面に着脱自在に付設している。これによって、尿は下方に流れるのでペットの毛が汚れたペットシーツに接触することを防止できるため、ペットを清潔に保つことが出来ると記載されている。
【０００５】
特許文献２に記載されたペット用トイレは、上述のようにペットシーツの上方を受け板が覆う構造であるため、固定されたペットシーツを掻きむしることはできない。しかし、その受け板は、下面にシート押え用支持脚を突設した形状で、いわばペットシーツの上にスノコのように存在するものである。
【０００６】
つまり、受け板を水切りとして使用し、その下にペットシーツを隠蔽した構造であるため、受け板上で排泄された糞尿は受け板に付着した後、受け板の貫孔を通過し、シート押え用支持脚を伝ってペットシーツに吸収される。  
このペット用トイレは、ペットを清潔に保つことができるとされているが、上述のように、ペットシーツに吸収されるまでの貫孔を通過した後の糞尿の道程は大変長く、毎回の排泄の度に受け板等を洗浄しなければ、衛生的に使用することはできない。また、臭いや繁殖等を回避して清潔にすることは大変困難である。
【０００７】
【特許文献１】登録実用新案第３０７９１３８号公報
【特許文献２】登録実用新案第３１１０９６６号公報
【発明の開示】
【発明が解決しようとする課題】
【０００８】
そこで、この発明は、ペットシーツがペットによって掻きむしられてひどく損傷しないようにすることを主たる課題とする。
【課題を解決するための手段】
【０００９】
そのための手段は、ペットシーツの表面に被せるようにのせられ固定されるシート状で、ペットシーツの表面に被さるカバー部と、ペットシーツの表面を尿が通過する広さ露出する複数の隙間部とを有したペットシーツ固定補助具である。
【００１０】
すなわち、ペットシーツ固定補助具は、ペットシーツの表面に被せるようにのせられ、掛けた状態になる。好ましくは、一面にたるみなく延べ広げられた状態であるのがよい。この状態において、カバー部がペットシーツを部分的に覆い、押える一方、隙間部がペットシーツの表面を露出させ、ペットから配設される尿がペットシーツに吸収されるようにする。
【００１１】
上記カバー部が、ペットシーツの表面に延べ広げられた状態になるので、ペットがペットシーツを引っ掻いたり噛んだりしようとしても、カバー部それ自体がペットの爪や歯からペットシーツを保護する。このため、掻きむしりを防止または抑制できる。
【００１２】
また、ペットの爪や歯が隙間部を通してペットシーツを引っ掻いたり噛んだりしても、カバー部がペットシーツの表面を押えるので、一部の隙間部を通して行われた掻きむしりがペットシーツにおけるその他の隙間部に対応する部分に影響を与えるのを抑制する。このため、掻きむしられる範囲の拡大も防止できる。
【００１３】
ところで、上記各構成要素は、次のような態様に構成することができる。  
その態様の一つは、上記カバー部が網状である。  
すなわち、網状であれば、ペットシーツの表面をより多く露出させることができ、外観や吸水性を損なわないで済む。なお、カバー部を構成する材料は、合成樹脂、金属、天然繊維や化学繊維等適宜のものを使用できるが、より好ましくは、透明や半透明などの外観を有するものであると、外観を良好に保つことができる。また、隙間部を小さくする場合には、カバー部に対して超親水性を付与すれば、それによってペットシーツの吸水性を確保することができる。
【００１４】
態様の他の一つは、外周部に、ペット用トイレのシーツ押え部材によってペットシーツの固定時にペットシーツとともに押え付けられる固定部が形成されたものである。  
すなわち、ペットシーツを押え付けるときに、同時に固定部を押え付けて固定し、使用されるので、既存のペット用トイレに使用することができる。
【００１５】
態様の他の一つは、外周部に、ペット用トイレのシーツ押え部材に対して着脱可能に固定される固定部が形成されたものである。  
すなわち、固定部はペットシーツを押え付けて固定するシーツ押え部材に対して着脱可能に固定されるので、ペットシーツを交換するときにシーツ押え部材を外すと、ペットシーツ固定補助具も一緒に外れて一体に取り扱えるので、ペットシーツの交換作業が容易に行える利点を有する。着脱可能な固定は、凹凸による嵌合や、面ファスナ等の適宜の係止手段を利用したものなど適宜の手段で構成するとよい。
【００１６】
別の手段は、上記ペットシーツ固定補助具を備えたペット用トイレである。  
すなわち、ペットシーツ固定補助具を、一体に有し、別体に有し、または添付して、使用できるようにしているので、このペット用トイレは、上記ペットシーツ固定補助具の作用効果を享受することができる。
【００１７】
また、別の手段は、ペットシーツを押え付けて固定するシーツ押え部材に、ペットシーツの表面に被さるカバー部と、ペットシーツの表面を尿が通過する広さ露出する複数の隙間部とを一体形成したペット用トイレである。  
すなわち、シーツ押え部材がペットシーツを押え付けて固定するとともに、カバー部でペットシーツの表面を被せることができる。したがって、カバー部がペットシーツを部分的に覆い、隙間部がペットシーツの表面を露出させ、ペットから配設される尿がペットシーツに吸収されるようにする。
【００１８】
また、上記カバー部が、ペットシーツの表面に延べ広げられた状態になるので、ペットがペットシーツを引っ掻いたり噛んだりしようとしても、カバー部それ自体がペットの爪や歯からペットシーツを保護する。このため、掻きむしりを防止または抑制できる。
【００１９】
さらに、上記各構成要素は、次のような態様に構成することができる。  
その態様の一つは、前記カバー部を、シーツ押え部材の内周面に張設し、シーツ押え部材によって固定されたペットシーツの表面と圧接する構成としたペット用トイレである。  
すなわち、ペットの爪や歯が隙間部を通してペットシーツを引っ掻いたり噛んだりしても、露出されたペットシーツの外周表面をカバー部が押えるので、一部の隙間部を通して行われた掻きむしりがペットシーツにおけるその他の隙間部に対応する部分に影響を与えるのを抑制する。このため、掻きむしられる範囲の拡大も防止できる。
【００２０】
また、別の態様として、前記カバー部を網状で形成したペット用トイレであってもよい。すなわち、網状であれば、ペットシーツの表面をより多く露出させることができ、外観や吸水性を損なわないで済む。
【００２１】
また、別の態様として、前記カバー部を可撓性材料で構成したペット用トイレであってもよい。すなわち、カバー部の可撓性により適宜の押圧力でペットシーツの表面を押えることができる。また、ペットの掻きむしりや引張りによって生じるカバー部の損傷の程度を低減することができる。
【００２２】
また、別の態様として、前記カバー部を方形断面で構成したペット用トイレであってもよい。すなわち、略方形断面で形成したことによって、カバー部が引っ掻けられたり、引っ張られたとしても、円形断面で形成した場合と比較して、ペットシーツ上面を転がって伸びることを防止できる。さらに、カバー部上面が平らに形成されるため、ペットが違和感を感じることなくカバー部の上に載って排泄することができる。
【００２３】
また、別の態様として、前記カバー部の底面側に、ペットシーツ１２との摺動抵抗を増加するための摺動抵抗増加手段を備えてもよい。これにより、ペットシーツの上面とカバー部の底面との間の摺動抵抗をさらに増加させることができ、一面にたるみなく延べ広げられた状態でセットされたペットシーツのずれを防止できる。
【発明の効果】
【００２４】
以上のように、この発明によれば、カバー部がペットシーツの表面に張られている状態になるので、ペットシーツがペットの爪や歯によって掻きむしられることを防止したり抑制したりすることができる。その一方で、隙間部がペットシーツの表面を露出するので、ペットシーツの吸水作用を妨げることはなく、トイレとしての機能は十分に発揮できる。
【発明を実施するための最良の形態】
【００２５】
この発明を実施するための一形態を、以下図面を用いて説明する。  
図１は、ペット用トイレ１１の斜視図であり、この図に示すようにペット用トイレ１１は、敷設されたペットシーツ１２（以下、シーツという）の表面に、シーツ１２が掻きむしられるのを防止するペットシーツ固定補助具１３（以下、補助具という）が固定されている。
【００２６】
まず、ペット用トイレ１１の構成を説明し、つぎに補助具１３の構成を説明する。  
ペット用トイレ１１は、図２に示したように、角部分を湾曲させた長方形板状に形成され、シーツ１２をのせるトイレ本体２１と、のせたシーツ１２を押える押え枠２２とを有する。
【００２７】
トイレ本体２１は、外周縁部に周壁２１ａを有する皿状で、中央部分には、若干底上げをした便床部２１ｂが形成されるとともに、その外周部位に、のせるシーツ１２の固定を行う部位である固定溝２１ｃが、図３にも見られるように形成されている。
【００２８】
固定溝２１ｃには、固定するシーツ１２に抵抗を付与する突条２３が形成される。トイレ本体２１の平面視形状は上述の通り長方形状であるので、上記突条２３はその湾曲する角部分を除く直線部分に形成されている。また、直線部分でも全体に対してではなく、その長さ方向の中間部分には形成されていない。
【００２９】
そして、このトレイ本体２１には、上記押え枠２２を固定するための固定具２４が取付けられる。取付け位置は、長辺における中間位置の相対向する２箇所であり、枢着により固定されている。固定位置における上記周壁２１ａの外周部分には、上記押え枠２２の一部を受け入れる段部２１ｄと、この段部２１ｄの下に上記固定具２４を枢着するための切欠部２１ｅが形成される。固定具２４は、側面視逆Ｌ字状をなし、その下端部の枢着部２４ａが切欠部２１ｅの両内側面に枢着されて、押え枠２２の一部を上から押圧する回動可能な状態になる。
【００３０】
固定具２４は、上述のようにトレイ本体２１に枢着されるとともに、トイレ本体２１に係合するもので、その係合は、トイレ本体２１の周壁２１ａにおける内周側の端縁に形成された被係合部２１ｆに対して、固定具２４の先端縁に形成された係合部２４ｂが係脱して行われる。
【００３１】
一方、この固定具２４によりトイレ本体２１上に固定される押え枠２２は枠状をなす。そして、トレイ本体２１の周壁２１ａの上部に嵌合する嵌合部２２ａを有し、その内周側から、斜め下方に向けた延設部２２ｂが上記トイレ本体２１の固定溝２１ｃに達する位置まで延設されている。この延設部２２ｂの先端部に、上記突条２３を内側に挟む位置関係になるように２条の押圧片２５，２６が垂設され、押圧部２７が形成されている。これら押圧片２５，２６と上記突条２３との間には、図３に示したようにシーツ１２を挟み込む適宜の隙間が設けられる。
【００３２】
そして、これら押圧片２５，２６のうち、内周側の押圧片２５における角部分と、これらに挟まれる直線部分の中間部には、シーツ１２を押える尖鋭の突起２８が垂設されている。すなわち、上記押圧部２７と突条２３でシーツ１２を挟み込んで高い抵抗を付与する上に、上記突条２３が形成されない部分において、上記突起２８による押えを行い、固定強度をさらに高めるようにしている。特に、トイレ本体２１の角部分に突条２３を形成せずに押え枠２２の押圧片２５に突起２８を形成することにより、シーツ１２に無理な歪がかかるのを防止できるので、シーツ１２を押えた状態をきれいに見せることができる。
【００３３】
また、押え枠２２における上記固定具２４に対応する位置であって、上記固定具２４の枢着部２４ａよりも上方の位置、すなわち押え枠２２の嵌合部２２ａおける外周側の下端には、トイレ本体２１に嵌合した時にトイレ本体２１の外周面上に位置する軸部２９が一体形成されている。この軸部２９を受けるべく、トイレ本体２１の対応部位には、湾曲した受け面２１ｇが形成される。軸部２９は、左右に一本通して形成されるものを図示したが、左右に分割形成されるものであるもよい。
【００３４】
そして、上記固定具２４における上記軸部２９に対応する位置には、軸部２９を回動可能に受ける断面略半円弧状の軸受け部２４ｃが形成される。この軸受け部２４ｃは、押え枠２２を回動可能に保持するもので、押え枠２２における上記軸部２９より上方には、押え枠２２が軸部２９を軸にして回動するときに固定具２４の通過を許容するぬすみ部２２ｃが切欠き形成されている。つまり、片方の固定具２４を外せば、他方の固定具２４部分を軸にして押え枠２２は回動する。
【００３５】
上記補助具１３は、シーツ１２と同様の長方形シート状で、シーツ１２の表面に被さるカバー部３１と、シーツ１２の表面を尿が通過する広さ露出する複数の隙間部３２とを有している。
【００３６】
上記カバー部３１は、格子状で、方形の目（上記隙間部３２）を有する網状である。つまり、補助具１３は、線状をなす線状部を組んで形成された網（ネット）状の形態を有し、上記隙間部３２は方形状をなす。合成樹脂や金属など適宜の材料で形成されるが、透明の合成樹脂で形成されるのが好ましい。また、カバー部３１を構成する線状部３１ａが、融着や一体成形等により図４に示した如くすべて一体に形成されたものであると、網目、つまり隙間部３２が延ばされないので、作用効果を確保できてより好ましい。
【００３７】
このカバー部３１のうちの外周部は、使用時に上記押え枠２２によってシーツ１２とともに押え付けられる固定部３３で、さらにそのうちの最も外周に位置する外周縁の線状部３３ａは、その他の部位を構成する線状部３１ａよりも大径に形成され、押え枠２２で押えた時にずれが生じないようにしている。
【００３８】
すなわち、補助具１３の大きさＬ１は、図５に示したように外周側の押圧片２６に囲まれる大きさＬ２よりも大きく形成され、補助具１３の外周縁における線状部３３ａの内側縁と、外周側の押圧片２６との間に、適宜幅Ｗの隙間が形成される大きさに設定されている。これによって、押え枠２２の押圧部２７が補助具１３の固定部３３を押え付けたときに、固定部３３を構成する線状部が押圧部２７によって押えられることと相俟って、外周縁の線状部３３ａの内側縁が図３に示したように、外周側の押圧片２６の下端に引っかかって、ずれの防止が確実に行える。
【００３９】
また、上記隙間部３２は、ペットが排泄する尿を円滑に通過させる大きさであって、隙間部３２の形状にもよるが、隙間部３２が方形状の場合には、具体的にはたとえば２ｃｍ角くらいに設定するとよい。
【００４０】
このような補助具１３を備えたペット用トイレ１１は、次のように使用される。  
すなわち、図２に示したように、補助具１３をシーツ１２の上に重ねるようにしてトレイ本体２１にのせ、上から押え枠２２で固定する。すると、補助具１３は、図１に示したように、シーツ１２の表面に被せるようにのせられ、掛けた状態になる。しかも、押え枠２２でしっかりと押え付けられているので、一面にたるみなく延べ広げられた状態である。
【００４１】
この状態であるので、ペットが排泄を行うとき、カバー部３１はシーツ１２を部分的に覆って上から押える一方、隙間部３２はシーツ１２の表面を露出させ、ペットから排泄される尿がシーツ１２に吸収されるようにする。
【００４２】
つまり、上記カバー部３１は、シーツ１２の表面に張力をもって延べ広げられた状態になるので、ペットがシーツ１２を引っ掻いたり噛んだりしようとしても、カバー部３１それ自体がペットの爪や歯がシーツ１２に当たるのを阻止したり緩衝したりして、シーツ１２を保護する。このため、シーツ１２の掻きむしりを防止または抑制できる。
【００４３】
また、ペットの爪や歯が隙間部３２を通してシーツ１２を引っ掻いたり噛んだりしても、カバー部３１がシーツ１２の表面を押えるので、一部の隙間部３２を通して行われた掻きむしりがシーツ１２におけるその他の隙間部３２に対応する部分に影響を与えるのを抑制する。このため、掻きむしられる範囲が広がるのを防止できる。
【００４４】
さらに、上記カバー部３１が線状部３１ａからなる網状であるので、シーツ１２の表面をより多く露出させることができ、外観や吸水性を損なわないで済むうえ、シーツ１２上での排泄に慣れたペットにも違和感を与えずに済む。
【００４５】
その上、カバー部３１が網状、すなわち薄いシート状であるとともに、ペットから排泄される糞尿が直接シーツ１２に吸収されるので、シーツ１２の交換時には、カバー部３１を布等で拭くだけで、常に清潔に保つことができる。
【００４６】
さらにまた、補助具１３は、押え枠２２で押えて固定されるので、既存のペット用トイレ１１に対して使用することができ、上述のような顕著な効果をより低コストで享受することができる。
【００４７】
以下、その他の形態について説明する。なお、上記構成と同一又は同等の部位については同一の符号を付してその詳しい説明を省略する。  
図６は、他の例に係る補助具１３の斜視図と、その固定状態を示す断面図であり、この補助具１３は、外周の固定部３３が面で構成された例を示している。
【００４８】
すなわち、押え枠２２の押圧部２７で押圧されても破れない強靭なシート状に形成されている。この固定部３３は、たとえば合成繊維からなるシート状の編織物３３ｂや、柔軟なゴム或いは合成樹脂シート３３ｃ、ゴム或いは合成樹脂シート３３ｃの表面に多数の突部３３ｄを有したもの、さらには、ゴム或いは合成樹脂シート３３ｃの表面に長さ方向に沿って伸びる複数の突条部３３ｅを有したものなどで構成できる。
【００４９】
図７も他の例に係る補助具１３の斜視図と、その固定状態を示す断面図であり、この補助具１３は、固定部に、ペット用トイレ１１の押え枠２２に対して着脱可能に固定される固定部３３が形成されたものである。  
すなわち、固定部３３は図６に例示したような強靭なシート状に形成され、その外周縁に嵌合突起３４を一体に有し、この嵌合突起３４は、全周にわたって適宜間隔を隔てて形成されている。一方、押え枠２２には、これら嵌合突起３４と嵌合する円柱状の嵌合凹部３５が、外周側の押圧片２６よりも外周側の位置に、下に向けて形成されている。
【００５０】
この構成によれば、使用に際しては、押え枠２２でシーツ１２を押えるのに先立って、補助具１３を押え枠２２の下面に取付けておく。補助具１３は押え枠２２と一体になるので、シーツ１２を交換するときに押え枠２２を外すと、補助具１３も一緒に外れて一体に取り扱える。このため、シーツ１２の交換作業が容易に行える利点を有する。また、着脱可能であるので、洗浄などの手入れも容易で、損傷した時などには交換することもできる。
【００５１】
図８は、さらなる他の例に係る補助具１３の斜視図と、その固定状態を示す断面図であり、固定部３３を強靭で軟質の合成樹脂あるいは合成ゴムで構成し、外周縁に、押え枠２２における外周側の押圧片２６の外側に嵌合するように、上に伸びる嵌合縁３６が形成されている。この場合も、図７に示した補助具１３と同様に、シーツ１２の交換時に補助具１３を押え枠２２と一体に扱える利点を有する。そのうえ、この構成では、複数の嵌合突起３４と嵌合凹部３５で構成する場合に比して、着脱動作が容易である利点を有する。
【００５２】
図９は、さらに別の例に係る補助具１３の斜視図と、その固定状態を示す断面図であり、固定部３３は、カバー部３１の外周部の全体にわたって形成されるものではなく、部分的に形成されている。詳しくは、固定部３３は、押え枠２２の内周側の押圧片２５に形成された上記突起２８に対応する位置に設けられ、突起２８が貫通する貫通孔３７を有している。すなわち、使用に際しては、補助具１３をシーツ１２の上にのせてから貫通孔３７に突起２８を貫通するようにして押え枠２２で押えたり、補助具１３をシーツ１２の上にのせる前に突起２８に貫通孔３７を挿嵌させた状態にして押え枠２２で押えたりする。
【００５３】
また、図１０から図１５とともに、上述したように補助具１３を一体に形成したペット用トイレ５１について説明する。  
図１０は、ペット用トイレ５１の斜視図であり、この図に示すようにペット用トイレ５１は、上述したペット用トイレ１１と同様に、トイレ本体２１にペットシーツ１２を敷設し、押え枠５２でペットシーツ１２を固定して使用する。
【００５４】
上記トイレ本体２１とペットシーツ１２とは、ペット用トイレ１１のものと同様であり、また、押え枠５２のペットシーツ１２を押える方法やトイレ本体２１への固定方法はペット用トイレ１１の押え枠２２と同様であるため、説明を省略する。
【００５５】
押え枠５２の要部断面図を示す図１１に示すように、押え枠５２は、上述の押え枠２２と同様に、２条の垂設された押圧片５５、５６、押圧部５７、シーツ１２を押える尖鋭の突起５８等を備え、シーツ１２を挟み込んで固定している。
【００５６】
なお、シーツ１２の表面に被さるカバー部５３と、シーツ１２の表面を尿が通過する広さ露出する複数の隙間部５４とは、適宜の弾力性を有する可撓性材料で構成している。  
詳述すると上記カバー部５３は、押え枠５２の長手方向と平行な長手方向線状部５３ａと、該長手方向線状部５３ａと直交する短手方向線状部５３ｂとで構成する格子状で、方形の目（上記隙間部５４）を有する網状であり、押え枠５２と一体形成している。
【００５７】
また、カバー部５３の上面と上述した押圧部５７とが面一となるように、上面同士を一致させて形成している。  
また、本実施例における隙間部５４は、ペットが排泄する尿を円滑に通過させる大きさであって、幅２ｍｍ程度の長手方向線状部５３ａと短手方向線状部５３ｂとで形成された８ｍｍ角程度に設定している。
【００５８】
押え枠５２の底面図を示す図１２やカバー部５３の底面拡大図を示す図１３に示すように、平行な複数の長手方向線状部５３ａのうち、所定本数を隔てた所定の長手方向線状部５３ａの底面側に、ペットシーツ１２との摺動抵抗を増加するための底面側に凸状の断面円弧形状の摺動抵抗増加凸部５３ｃを備えている。  
なお、本実施例において、摺動抵抗増加凸部５３ｃは５本毎の長手方向線状部５３ａに備えているが、各長手方向線状部５３ａの間隔に合わせて、隔てる所定本数を調整して備えてもよい。
【００５９】
また、本実施例において、摺動抵抗増加凸部５３ｃを長手方向線状部５３ａの長さ方向全範囲に連続して備えているが、適宜の長さの摺動抵抗増加凸部５３ｃを適宜の間隔を隔てて複数備えてもよい。さらに、複数の適宜の長さの摺動抵抗増加凸部５３ｃと適宜の間隔とを、短手方向に交互に備えて千鳥状に配してもよい。また、短手方向線状部５３ｂに摺動抵抗増加凸部５３ｃを備えてもよい。
【００６０】
このようにカバー部５３を一体形成した押え枠５２を組み付けたペット用トイレ５１の要部断面図を示す図１４に示すように、ペット用トイレ５１は押え枠５２の押圧部５７の上面と便床部２１ｂの上面とが略同一の高さとなるように構成されているため、押え枠５２に一体形成されたカバー部５３の底面は、カバー部５３と便床部２１ｂとの間に敷設されたペットシーツ１２を介して便床部２１ｂによって押圧されて上方に撓んだ状態となる。  
したがって、ペットシーツ１２は、上方に押し上げて撓んだカバー部５３の弾性力によって便床部２１ｂ側に押圧された状態となる。
【００６１】
なお、図１４、およびペット用トイレ５１の拡大断面図を示す図１５に示すように、カバー部５３を構成する上記長手方向線状部５３ａと上記短手方向線状部５３ｂは、略正方形断面で形成している。
【００６２】
上記構成により、補助具１３を用いたペット用トイレ５１と同様の効果を得ることができるとともに、ペットシーツ１２の上面とカバー部５３の底面とが圧接することによって、ペットシーツ１２の上面とカバー部５３の底面との間の摺動抵抗を増加させることができ、セットされたペットシーツ１２がずれることを確実に防止できる。
【００６３】
また、上記長手方向線状部５３ａと上記短手方向線状部５３ｂとを略正方形断面で形成したことによって、カバー部５３が引っ掻けられたり、引っ張られたとしても、円形断面で形成した場合と比較して、ペットシーツ１２上面を転がって伸びることを防止できる。さらに、カバー部５３を適宜の弾力性と可撓性を備えた可撓性材料で形成しているため、ペットによる引っ掻きや引張りによって生じる損傷の程度を低減することができる。
【００６４】
また、隙間部５４を介して露出されたペットシーツ１２の外周がカバー部５３によって押圧されて固定されているため、ペットシーツ１２が隙間部５４を通過した引っ掻きや引張りによって損傷を受けた場合であっても、損傷が隙間部５４をまたいで拡大することを防止できる。
【００６５】
さらに、上述したように、所定本数ごとの長手方向線状部５３ａの底面に摺動抵抗増加凸部５３ｃを備えたことによって、ペットシーツ１２の上面とカバー部５３の底面との間の摺動抵抗をさらに増加させることができ、一面にたるみなく延べ広げられた状態でセットされたペットシーツ１２の短手方向のずれを防止できる。
【００６６】
この発明の構成と上記一形態の構成との対応において、  
この発明のシーツ押え部材は、上記押え枠２２、５２に対応するも、  
この発明は、上記構成のみに限定されるものではなく、その他の形態を採用することもできる。
【００６７】
たとえば、固定部３３を押え枠２２に対して着脱可能に固定する固定手段には、面ファスナやスナップ等の適宜の係止手段等を利用することもできる。
【００６８】
また、カバー部３１、５３は格子状でなくともよく、たとえば、亀甲金網状、菱形金網状等の形状であるもよく、板を打ち抜いて形成したような形状をなす、面で構成されるものであるもよい。隙間部３２、５４の大きさが小さくなってしまう場合には、たとえば光触媒を利用した超親水性を付与する塗材を塗布して、表面に超親水層（図示せず）を形成しておけば、シーツ１２の吸水作用を確保することができる。
【図面の簡単な説明】
【００６９】
【図１】ペット用トイレの斜視図。
【図２】ペット用トイレの分解斜視図。
【図３】要部の断面図。
【図４】ペットシーツ固定補助具の一部拡大平面図。
【図５】ペットシーツ固定補助具の一部拡大断面図。
【図６】他の例に係るペットシーツ固定補助具の構造説明図。
【図７】他の例に係るペットシーツ固定補助具の構造説明図。
【図８】他の例に係るペットシーツ固定補助具の構造説明図。
【図９】他の例に係るペットシーツ固定補助具の構造説明図。
【図１０】補助具を一体形成したペット用トイレの斜視図。
【図１１】補助具を一体形成したペット用トイレの要部断面図。
【図１２】補助具を一体形成したペット用トイレの押え枠の底面図。
【図１３】補助具を一体形成したペット用トイレのカバー部の底面拡大図。
【図１４】補助具を一体形成したペット用トイレの要部断面図。
【図１５】補助具を一体形成したペット用トイレの拡大断面図。
【符号の説明】
【００７０】
１１、５１…ペット用トイレ
１２…ペットシーツ
１３…ペットシーツ固定補助具
２２，５２…押え枠
３１，５３…カバー部
３２，５４…隙間部
３３…固定部
３４…嵌合突起
３５…嵌合凹部
３６…嵌合縁
３７…貫通孔
【図１】
2008029360.tif 000003
【図２】
2008029360.tif 000004
【図３】
2008029360.tif 000005
【図４】
2008029360.tif 000006
【図５】
2008029360.tif 000007
【図６】
2008029360.tif 000008
【図７】
2008029360.tif 000009
【図８】
2008029360.tif 000010
【図９】
2008029360.tif 000011
【図１０】
2008029360.tif 000012
【図１１】
2008029360.tif 000013
【図１２】
2008029360.tif 000014
【図１３】
2008029360.tif 000015
【図１４】
2008029360.tif 000016
【図１５】
2008029360.tif 000017